(57)【要約】  本発明は、ロールを、軸（５）を中心として回転可能とするため、粘着テープ（２３）を巻回したロールを保持する固定部（２）と、固定部（２）に連結され、粘着テープ（２３）を挿入可能なロールの自由端を固定及び／又は切断するのに適した外方片（４）を備えた粘着テープディスペンサー（１）に関する。固定部（２）は、粘着テープ（２３）のロールが回転可能に適合され得るベアリングコア（２６）を取り囲む。外方片（４）は固定部（２）のベアリングコア（２６）に移動可能に連結される。さらに、本発明の粘着テープディスペンサー（１）は、外方片（４）及び／又はベアリングコア（２６）が、外方片（４）とベアリングコア（２６）の間の距離を小さくする方向に当接することを補助するため、少なくとも１つの弾性手段（３，３ａ）を備える。
2007505018.tif 000002
【特許請求の範囲】
【請求項１】
軸（５）を中心として回転可能で、巻き付けた粘着テープロールを保持するためのホルダー（２）と、ホルダー（２）に連結され、挿入又は挿入可能な粘着テープロールの外径側に配設された外方部（４）とを備え、外方部（４）は、挿入された粘着テープロールの自由端への固定及び／又は取り外しに適しており、ホルダー（２）に移動可能に固定された粘着テープディスペンサー（１）であって、外方部（４）が軸（５）からの間隔が小さくなる方向に配置される、少なくとも１つの弾性手段（３）を備えたことを特徴とする粘着テープディスペンサー。
【請求項２】
軸（５）を中心として回転可能に巻き付けた粘着テープロール（２３）を保持するためのホルダー（２）と、ホルダー（２）に連結され、挿入可能な粘着テープロール（２３）の外径側に位置する領域に配設される外方部（４）とを備え、外方部は、挿入可能な粘着テープロール（２３）の自由端への固定及び／又は取り外しに適しており、ホルダー（２）は、粘着テープロール（２３）が回転可能となるように保持可能なベアリングコア（２６）を備え、外方部（４）はホルダー（２）のベアリングコア（２６）に移動可能に連結される粘着テープディスペンサー（１）であって、外方部（４）及び／又はベアリングコア（２６）が、外方部（４）とベアリングコア（２６）との間隔を小さくする方向に付勢される、少なくとも１つの弾性手段（３，３ａ）を備えたことを特徴とする粘着テープディスペンサー（１）。
【請求項３】
前記外方部（４）は、挿入された粘着テープロール（２３）の外周面に弾性的に接触する弾性手段（３，３ａ）によって導かれることを特徴とする請求項１又は２に記載の粘着テープディスペンサー。
【請求項４】
前記外方部（４）の２つの端面又は挿入された粘着テープロールのいずれか一方に作用する２つの弾性手段（３）を備えたことを特徴とする請求項１乃至３のいずれか１項に記載の粘着テープディスペンサー。
【請求項５】
前記弾性手段（３）は、粘着テープロールに対して外側から外方部（４）を付勢する圧縮スプリングを備えたことを特徴とする前記請求項のいずれか１項に記載の粘着テープディスペンサー。
【請求項６】
前記弾性手段は、ホルダー（２）が外方部（４）に連結されるようにして、弾性圧縮されるベントスプリングアーム（３）によって形成したことを特徴とする前記請求項のいずれか１項に記載の粘着テープディスペンサー。
【請求項７】
前記スプリングアーム（３）は、略放射線状又はＵ字状に曲がり、スプリングアーム（３）の一端の領域（１２）が、軸（５）と挿入された粘着テープロールの間に配設したホルダー（２）の領域から、少なくとも略接線方向に延び、スプリングアーム（３）の他端の領域（１３）が、挿入された粘着テープロールの外周面の外径に、少なくとも略接線方向で終端することを特徴とする請求項６に記載の粘着テープディスペンサー。
【請求項８】
各スプリングアーム（３）は、挿入された粘着テープロールに対して軸方向に隣接する両側のそれぞれに配設され、前記両スプリングアーム（３）は、端部領域（１２，１３）で、ホルダー（２）によって一端に、外方部（４）によって他端に互いに連結したことを特徴とする請求項４及び７に記載の粘着テープディスペンサー。
【請求項９】
前記両スプリングアーム（３）は、挿入された粘着テープロールの外径側に配設された付加連結ウェブ（１４）によって中間領域に互いに連結され、外方に突出するように配設され、前記中間領域は、外方部（４）とスプリングアーム（３）の中心との間に配設したことを特徴とする請求項８に記載の粘着テープディスペンサー。
【請求項１０】
前記両スプリングアーム（３）は、外方部（４）に連結された端部領域（１３）に、挿入された粘着テープロールの端面に対してガイド手段を軸方向に配設可能で、それぞれ内方に向かって突出する突出部（１８）をそれぞれ備えたことを特徴とする請求項８又は９に記載の粘着テープディスペンサー。
【請求項１１】
前記外方部（４）は、粘着テープロール（２３）の自由端が容易に取り外しできるように粘着可能である、外方に対向する粗い又は溝状の表面（９）を有するテープ保持領域を備えたことを特徴とする前記請求項のいずれか１項に記載の粘着テープディスペンサー。
【請求項１２】
前記外方部（４）は、テープの一片を粘着テープロール（２３）から引き出すために、取り外し装置（１０，１１，３１）、特に、尖った縁（１０）、歯状ストリップ（３１）又はナイフを備えたことを特徴とする前記請求項のいずれか１項に記載の粘着テープディスペンサー。
【請求項１３】
前記外方部（４）は、軸（５）と平行に延びる軸を中心として丸みを与えられた切り取り部分の縁（１１）を備えたことを特徴とする前記請求項のいずれか１項に記載の粘着テープディスペンサー。
【請求項１４】
前記ホルダー（２）は、外方に配設された両側壁（６）の少なくともいずれか一方に凹部（８）を備えたことを特徴とする前記請求項のいずれか１項に記載の粘着テープディスペンサー。
【請求項１５】
機械的に積極的な固定及び／又は摩擦固定方法により、挿入又は挿入可能な粘着テープロール（２３）を巻き戻す方向（Ａ）への回転動作とは反対の復帰回転動作を阻止する手段（１９，２０）を備えたことを特徴とする前記請求項のいずれか１項に記載の粘着テープディスペンサー。
【請求項１６】
前記ホルダー（２）は、粘着テープロール（２３）のコアリール（２４）と協働する手段、特に弾性手段（１９，２０）を備えたことを特徴とする請求項１５に記載の粘着テープディスペンサー。
【請求項１７】
保持されるべき又は保持されたコアリール（２４）又は粘着テープロール（２３）の円周方向に配置された少なくとも１つのスプリング舌片（２０）は、ホルダー（２）に設けられ、前記少なくとも１つのスプリング舌片は、粘着テープロール（２３）を引き戻す望ましい回転方向（Ａ）に位置決めされ、コアロール（２４）の端面に設けた凹部に弾性的に係合させるために内方の軸方向に弾性的に突出していることを特徴とする請求項１５又は１６に記載の粘着テープディスペンサー。
【請求項１８】
少なくとも１つのスプリングアーム（３）は、軸方向に向かう及び／又は放射状に広がる弾性領域に、対応する歯に係合させるために、突出部、特に楔形に突出する突起を備え、前記領域は、挿入された又は挿入できる粘着テープロールのコアロール（２４）の歯、又は、挿入された又は挿入できる粘着テープロールの鋸歯状の端面を直接押圧することを特徴とする請求項６乃至１０のいずれか１つに従属する請求項１５に記載の粘着テープディスペンサー。
【請求項１９】
合成樹脂材料、好ましくは透光性を有する合成樹脂材料からなり、好ましくは一体的に形成されていることを特徴とする前記請求項のいずれか１項に記載の粘着テープディスペンサー。
【請求項２０】
前記弾性手段又はスプリングアーム（３）は、透光性及び弾性を有する合成樹脂材料、特にポリカーボネートからなることを特徴とする請求項１８に記載の粘着テープディスペンサー。
【請求項２１】
前記ベアリングコア（２６）は、回転軸（２７）を中心として偏心して回転可能であり、弾性手段（３ａ）によって付勢されるようにホルダー（２）の側壁（６）の間に配設されることを特徴とする請求項２、特に請求項１１乃至１６のいずれか１項の従属項に記載の粘着テープディスペンサー。
【請求項２２】
前記ベアリングコア（２６）は中空シリンダで形成され、前記弾性手段（３ａ）は前記シリンダのキャビティ（３８）に配設されることを特徴とする請求項２１に記載の粘着テープディスペンサー。
【請求項２３】
前記外方部（４）は、ホルダー（２）の側壁（６）に連結固定されていることを特徴とする請求項２１又は２２に記載の粘着テープディスペンサー。
【請求項２４】
前記ホルダー（２）は、ベアリングコア（２６）の回転範囲を制限するために、隣接手段（３５，３６）を備えたことを特徴とする請求項２１乃至２３のいずれか１項に記載の粘着テープディスペンサー。
【請求項２５】
前記隣接手段は、ホルダー（２）の側壁から内側軸方向に突出し、かつ、アーチ状の凹部又はベアリングコア（２６）の端面の開口（３６）に係合することを特徴とする請求項２４に記載の粘着テープディスペンサー。
【請求項２６】
前記弾性手段は、ベアリングコア（２６）の回転軸（２７）に回転可能に装着された脚部スプリング（３ａ）を備え、脚部スプリング（３ａ）の一端はキャビティ（３８）の内壁（３９）によって支持され、脚部スプリング（３ａ）の他端は突出部（３５）によって支持され、突出部（３５）は開口（３６）を介してキャビティ（３８）内に突出することを特徴とする請求項２２及び２５に記載の粘着テープディスペンサー。
【請求項２７】
挿入された粘着テープロールを備えた取り外し可能なディスペンサーとして構成され、前記粘着テープロール（２３）の側縁は好ましくは溝状、鋸波状又は波形に形成されていることを特徴とする前記請求項のいずれか１項に記載の粘着テープディスペンサー。
【請求項２８】
粘着テープロール（２３）を挿入可能な再使用可能なディスペンサーとして構成されていることを特徴とする請求項１乃至２６のいずれか１項に記載の粘着テープディスペンサー。
【発明の詳細な説明】
【技術分野】
【０００１】
本発明は、巻き付けられた粘着テープロールを保持して軸を中心として回転可能なホルダーと、ホルダーに連結されると共に、挿入できる又は挿入された粘着テープロールの外径方向に配置された外方部とを備え、外方部は、取外し又は固定、あるいは、着脱に適しており、挿入された粘着テープロールの自由端がホルダー又はベアリングコアに移動可能に連結されることにより、粘着テープロールがホルダーに保持されて回転可能となるようにした粘着テープディスペンサーに関するものである。
【背景技術】
【０００２】
粘着テープディスペンサー又は粘着テープ巻戻装置は、一般に種々の形態で公知である。それらは、粘着テープを保持することを目的とし、粘着テープが巻き付けられて粘着テープロールを形成すると共に、粘着テープの巻き戻しを容易とする。したがって、例えば、粘着テープディスペンサーとして、粘着テープロールがハウジング内に全体あるいは一部を保持され、粘着テープの一片を巻き戻すために軸を中心として回転可能となるように拘束されたものが公知である。このため、ハウジングは、軸の回転方向に向かう突出部を備えるか、あるいは、一般に樹脂材料からなるコアリールに搭載され、粘着テープロールを巻き付けられたベアリングコアを備える。さらに、ハウジングは、粘着テープロールから引き出された粘着テープの一片を切り離すための分離装置と、粘着テープロールの自由端を再度容易に取り上げて固定するためのテープ保持部とを備える。手で取り外し可能な粘着テープを使用する場合、粘着テープディスペンサーは分離装置なしで構成することも可能である。テープ保持部は、粘着テープの引出片を取り外した後、粘着テープロールの自由端を固定すること、特に、弱い粘着力で固定することを目的として提供されており、その位置は、ユーザによって容易に把持可能であり、前記端部が粘着テープロールに戻ってくるのを防止し、粘着テープの自由端がどこであるのかの判別が困難となり、再度自由端を引っ張るのが困難な位置である。
【０００３】
前記種類の粘着テープディスペンサーは硬質なハウジングを備え、粘着テープロールの直径に拘わらず、保持可能な最も大きな粘着テープロールの直径に適応するように相対的に大きな構成サイズを強いられている。
【０００４】
さらに、粘着テープロールの特別な形式の実施形態として、テープ保持部が粘着テープディスペンサーのホルダーに移動可能に連結したものが公知である。その種の粘着テープディスペンサーは、例えば、国際公開番号ＷＯ９４／１２４１４号公報により公知である。これに関連して、外部保持部材は２つのウェブによって内部ホルダーに移動可能に連結される。粘着テープディスペンサーのサイズは粘着テープロールのサイズに常に適合可能となっている。
【０００５】
しかしながら、粘着テープロールの半径が小さくなるにつれて、外部把持部材の内半径を、小さくなる粘着テープロールの半径に合わせることはできず、この結果、粘着テープロールに合わせて把持部材を所定位置に位置決めすることができないという欠点がある。さらに、テープ保持部は、粘着テープロールの自由端が外方に面する粘着面に保持されるように配設されており、そこでは粘着テープの端部領域で粘着性能が、特に、未使用の期間がかなり長い場合、あるいは、他の部材に偶然に接触した場合、実質的に弱められる。
【０００６】
その上、全体が相対的にシンプルな形式であるにも拘わらず、２つの必須の軸のため、一方が把持部材であり、他方がホルダーであるウェブの連結により、さらに単純化が望ましいことが明らかになるような構成を備えている。
【０００７】
さらに、前述の種類の粘着テープディスペンサーは、ヨーロッパ特許出願公開番号ＥＰ０３４１１７２号公報からも公知である。これに関連して、ヨークが粘着テープディスペンサーのホルダー、すなわち、粘着テープロールの自由端をヨークの外方端に配設するために、保持部として２つの支持ストラップに回転可能に装着されている。
【０００８】
ヨークは、粘着テープの自由端によって固定されなければ、同様に前後へと自由に回転可能である。したがって、粘着テープディスペンサーに対してヨークを所定位置に位置決めするのは、挿入された粘着テープロール無しには不可能である。このため、ヨークは自由に揺動可能となっている。さらに、これに関連して、ヨークとホルダーとの間を回転可能に連結することも必要とされるが、構成を単純化し、これに関連して製造コストを削減するという意味において、そのような連結を回避することが望まれる。
【発明の開示】
【発明が解決しようとする課題】
【０００９】
そこで、本発明は、前述の容易に操作可能な粘着テープディスペンサーを制作し、少なくとも可能なスペースを要求しつつ、相対的に移動可能な構成要素を常に所定位置に位置決めし、単純化した構成に基づいて経済的に製造可能とすることを目的とする。
【００１０】
本発明によれば、この目的は請求項１及び２の一方に関連する粘着テープディスペンサーによって達成される。本発明の有利な実施形態及び改良は従属項から明らかである。
【課題を解決するための手段】
【００１１】
本発明によれば、課題を解決する場合、前記粘着テープディスペンサーは、外方部及び／又はベアリングコアが、一方に於ける外方部と他方に於ける軸又はベアリングコアとの間隔が減少する方向に付勢される、少なくとも１つの弾性手段を備えることが必須である。
【００１２】
前記外方部は、軸及び／又はベアリングコアに向かう方向に少なくとも一部の構成要素によってもたらされる弾性的な付勢力を必要とすると共に、外方部に向かう方向に少なくとも一部の構成要素によってもたらされる弾性的な付勢力を必要とする。
【００１３】
主な利点は、相対移動可能な粘着テープディスペンサーの構成要素が、常に互いに関連する所定位置を採用している点にあり、最も小さくでき、最もスペースをセーブできる位置決めが常に同時に行われる。この構成要素の最適条件は、有利な手法で、挿入された粘着テープロールとのみならず、粘着テープロールなしにも達成される。本発明の記載に、挿入された粘着テープロールで構成されている点があれば、記述は、既に挿入された粘着テープロールを備えた粘着テープディスペンサーのみならず、粘着テープロールがユーザによって後に挿入される粘着テープディスペンサーについても常に言及される。
【００１４】
外方部が、挿入された粘着テープロールの外周面に弾性的に接触する弾性手段によって搬送可能であれば特に有利である。これにより、粘着テープディスペンサーの最小化可能な外形寸法は、挿入された粘着テープロールの場合であっても達成され、一時的な直径とは無関係である。さらに、外方部は常に粘着テープの自由端から可能な限り最も小さな間隔で配設されている。このため、粘着テープロールの自由端を保持するために、外方部がテープ保持部として使用されれば、粘着テープロールの残りの非常に短い領域のみを引き出さなければならない。
【００１５】
本発明に係る粘着テープディスペンサーの特に硬質な構成は、外方部の両端面、又は、挿入された粘着テープロールの両端面に効果的に配設された２つの弾性手段によって達成可能である。後述するように弾性手段によって形成されている点が記載されていれば、その記載は側方に配設された２つの弾性手段を備えた実施形態にも明らかに適合可能である。
【００１６】
あらゆる弾性要素、特に、トーションスプリング、螺旋スプリング、脚部スプリング、及び、ゴム弾性スプリングが、弾性手段として使用可能である。弾性手段は、挿入された粘着テープロールに対して外側から外方部を押圧する圧縮スプリングを備えているのが特に好ましい。しかしながら、変形例では、粘着テープロールの外周面に対して内方から外方部を引っ張るテンションスプリングによって弾性手段を十分に理解することが可能である。
【００１７】
本発明の実施形態の特に好ましい形式では、ホルダーを外方部に連結し、曲げが弾性的に抑制されるベントスプリングアームによって弾性手段を形成することが提案されている。曲げ度合いの減少又はスプリングアームの曲げ半径の拡大により、外方部はスプリングアームの弾性によって内方に押し戻された位置から外方へと変位する。
【００１８】
これに関連して、スプリングアームが略放物線状又はＵ字状に折り曲げられ、スプリングアームの一端領域が、軸と挿入された粘着テープロールとの間に配設されたホルダーの領域から、少なくとも略接線方向へと延び、スプリングアームの他端領域が、挿入された粘着テープロールの外周円の少なくとも略接線方向で終端すれば特に有利である。その場合、スプリングアームは、挿入された粘着テープロールに対して軸方向に隣接して配設するのが好ましい。スプリングアームの特に優れた弾性は、放物線状又はＵ字状の構成によって達成可能である。
【００１９】
本発明の実施形態のさらに特別な好ましい形式では、放物線状又はＵ字状に曲げられた各スプリングアームは、挿入された粘着テープロールに対して軸方向に隣接する２つの側部にそれぞれ配設され、そこでは２つのスプリングアームが、一方は粘着テープディスペンサーのホルダーによって、他方は外方部によって終端領域で互いに連結されている。実施形態は、構成に関して特にシンプルであり、部品点数が少なく、非常に軽いという結果をもたらす。
【００２０】
粘着テープディスペンサーの剛性を高めるため、挿入された粘着テープロールの外径側に配設された付加連結ウェブによって中間領域に２つのスプリングアームを一緒に連結することが提案されている。連結ウェブは、外径側に突出するように配設されるのが好ましく、そこでは中間領域は外方部とスプリングアームの中心との間に配設されるのが好ましい。その種の配列の場合、ディスペンサーは、軸が水平方向に向かう際、外方部と、特別な手法で支持される連結ウェブとによって配置することができる。
【００２１】
さらに、２つのスプリングアームが、外方部に連結される端部領域に、それぞれ内方に突出する突出部を備えていれば特に有利であり、それは、挿入された粘着テープロールの端面に対して軸方向にガイド部材として配設可能である。これにより、挿入された粘着テープロールに対して外方部を正確に軸方向に位置決めすることが保証可能となる。
【００２２】
挿入された粘着テープロールの自由端は、ユーザによって容易に把持可能な位置に固定できるので、粘着テープロールの外方屈曲部に不用意に付着することが防止され、さらに、本発明に関して、外方に面する粗い及び／又は隆起した表面を有するテープ保持領域を備えた外方部を提供することが提案され、粘着テープ屈曲部の自由端が容易に取り外すことができるように粘着可能となっている。この表面は、粘着性を抑えたコーティングのような他の材料を採用することによって提供することもできる。さらに、適切な化学処理により、非粘着面を得ることも可能である。
【００２３】
さらに、粘着テープロールから引き出させるが、手だけで取り外すことができないテープの一片を容易に取り外すことができるようにするため、外方部には取外装置を設けるのが有利である。取外装置は、例えば、尖った縁、歯状のストリップ、あるいは１以上のナイフを備えることができ、それらは直接一体化する手法により形成されるか、あるいは、後に装着可能であり、他の異なる材料から構成するようにしてもよい。
【００２４】
しかも、これに代えて、あるいは、追加で、粘着テープディスペンサーの外方部が、粘着テープロールの回転軸と平行に延びる軸を中心として回転する切取部分の縁を備えることが提案されている。粘着テープに於ける放射状の切取部分の縁は、特に、溝、鋸歯又は波形に形成された側縁を備えることにより手で切り離すことができるので特に有利である。このため、粘着テープディスペンサーの取り外し装置に於ける、尖ったあるいは鋭利な刃状の領域により怪我をすることを回避することが可能である。切取部分の縁を備えた実施形態の形式は、粘着テープを切り裂く特徴に合致しているという利点がある。
【００２５】
さらに、ホルダーが外方に配置された２つの側面又は側壁のいずれか１つに把持凹部を備えれば特に有利である。これにより、粘着テープディスペンサーを、特に手で容易に保持することができる。
【００２６】
本発明の実施形態のさらに好ましい形式では、粘着テープディスペンサーには、挿入又は挿入可能な粘着テープロールの巻き戻し方向への回転動作とは反対の回転動作に復帰することを阻止するために、機械的に積極的な固定及び／又は摩擦固定の手法を施す手段を備えた構成が提供されている。これにより、不適切な方向への粘着テープロールの回転は回避されるので、粘着テープロールの自由端は常にユーザによって容易に把持することが可能である。
【００２７】
その場合、ホルダーは粘着テープロールのコアロールを備え、逆方向の抑制又は阻止としての手段、特に弾性手段を備えれば、特に有利である。
【００２８】
さらに、粘着テープロールの保持されるべきコアリール又は保持されたコアリールの円周方向に方向付けされた少なくとも１つのスプリング舌片の片側又は両側にホルダーを配設し、コアリールの端面に配置した凹部に弾性的に係合させるために内方の軸方向に弾性的に突出させれば、特に有利である。粘着テープの一片が引っ張られる際、舌片は、コアリールの凹部の縁部領域によって外方に向かって弾性的に押圧される。このため、所望の巻き戻し方向への粘着テープロールの回転動作が可能となり、舌片の端部領域はコアリールの凹部の内側に係合し、回転方向とは反対側の動作をブロックする。その場合、コアリールの端面の凹部は、コアリールのスポーク間の隙間により、特別に簡単な手法で形成できる。
【００２９】
粘着テープディスペンサーが１又は２のベントスプリングアームを備えれば、さらに特別な利点がある。軸方向及び／又は径方向の弾性領域で少なくとも１つのスプリングアームが、挿入された又は挿入できる粘着テープロールのコアロールの歯、又は、直接、歯を形成された端面に支持され、対応する歯に係合するために、突出部、特に縁に形成された突出部を備えることを条件とする。その場合、スプリングアームの弾性領域は、それ自身の弾性及び／又は付加された弾性要素によって構成可能である。突出部が、側方に凹部を設けた粘着テープに係合する限りにおいて、復帰回転運動は実質的に難しくなる。コアリールの側方又は内側に配設された歯部で、突出部又は他の弾性手段に係合する場合、粘着テープロールの復帰回転動作もまた完全に阻止することができる。
【００３０】
粘着テープディスペンサーの突出部が、完全あるいは少なくとも主要部が合成樹脂材料から構成されれば、特にシンプルで経済的なものとすることができる。ディスペンサー全体が一体構造で、ホルダーの両側領域が、弾性手段と外方部とを介して互いに連結され、粘着テープロールの保持のために、外方に弾性的に曲げることが可能となっているのが好ましい。これに代えて、粘着テープロールが、多くの部材で構成され、特に互いに対応する両側部を形成され、粘着テープロールを保持させた後、互いに固定されるようにすることも可能である。合成樹脂材料は透光性を有するように形成されるのが好ましい。
【００３１】
これに関連して、粘着テープディスペンサーは、原則として、全ての種類の合成樹脂材料、例えば、熱可塑性又は熱硬化性の合成樹脂から形成することができるが、射出成形によって加工可能な合成樹脂材料が使用されるのが好ましい。さらに、合成樹脂材料は、弾性手段又はスプリングアームの永久弾性特性を可能とする、特にポリカーボネートを使用するのが好ましい。しかしながら、粘着テープディスペンサーの他の部材は、他の材料からも形成することができる。
【００３２】
本発明の実施形態の他の形式によれば、ベアリングコアは、偏心した回転軸を中心として偏心して回転するように、ホルダーの側壁の間に装着されており、弾性手段によって付勢されている。偏心して取り付けているので、外方部からのベアリングコアの間隔はベアリングコアを回転させることにより変化させることができる。その場合、ベアリングコアは少なくとも部分的に中空のシリンダによって形成され、弾性手段がシリンダのキャビティ内に配設されるのが好ましい。シリンダの外径は、保持されるべき粘着テープロールの内径、又は、粘着テープロールが巻き付けられた対応するコアリールの内径に適合している。
【００３３】
その場合、外方部が、特に、少なくとも１つの硬質な連結アームを介してホルダーの側壁に連結固定されていれば、より一層有利である。これにより、実施形態に非常に硬質な形式のものが得られる。その場合、本発明に従って粘着テープディスペンサーの移動性は、ベアリングコアを回転可能に取り付けることにより保証される。
【００３４】
さらに、ホルダーは、ベアリングコアの回転範囲を制限する隣接手段を備える。これらの隣接手段は、ホルダーの少なくとも一方の側壁から内方の軸方向に突出する少なくとも１つの突出部すなわちピンを備え、それはアーチ状の凹部又はベアリングコアの端面の開口に係合するのが好ましい。
【００３５】
その場合、弾性手段は、ベアリングコアの回転軸の中心に回転可能に取り付けられた脚部スプリングを備え、一方の脚部によってベアリングコアのキャビティの内壁に支持され、他方の脚部によって、ベアリングコアの端面の開口を介してキャビティ内に隣接手段として突出する突出部に支持されるのが、より一層有利である。これにより、特別な接触状態が得られる。
【００３６】
本発明の特に好ましい形式は、粘着テープディスペンサーが、予め挿入された粘着テープロールを備えた使い捨てのディスペンサーとして構成されているところである。粘着テープロールの側縁は、取り外し装置さえなしに手で粘着テープ領域を容易に取り外すことができるようにするため、溝状、鋸歯状又は波形状に形成されているのが好ましい。このため、粘着テープディスペンサーの尖った又は鋭い刃状の領域により怪我をすることが回避可能となる。
【００３７】
しかしながら、これに代えて、粘着テープディスペンサーを再使用再利用可能なディスペンサーとして、又は、ユーザが所望の粘着テープロール又は必要ならば新しい粘着テープロールを取付可能な、ユーザ充填装置として粘着テープディスペンサーを構成することも可能である。
【００３８】
一般に、粘着テープディスペンサーは、全ての種類の粘着テープを取付可能である。したがって、例えば、片面あるいは両面で、引きはがし可能な保護層を備えた粘着性のある粘着テープが使用可能である。
【発明を実施するための最良の形態】
【００３９】
さらに、本発明の利点及び特徴は、後述する詳細な説明及び図面に示される実施例から明らかとなる。
【００４０】
図１乃至４に示す粘着テープディスペンサーは、粘着テープロールのない状態でそれぞれ図示されている。それらは全体をプラスチックで形成され、特に製造上の経済性が保証されるように射出成形されている。
【００４１】
粘着テープディスペンサー１は、ホルダー２と、側方に配設した２つのスプリングアーム３によって連結される外方部４とを備える。ホルダー２は、通常コアリールに巻き付けられる粘着テープロールを回転可能に保持するために設けられている。粘着テープの一片が引っ張られると、粘着テープロールは軸５を中心として回転する。このため、ホルダーは保持すべき粘着テープロールの幅に応じて所定間隔で対向する２つの側壁６を備え、軸方向内方に位置する環状突出部７は、軸５に対して同心上に位置し、コアリールの中心内径に係合可能であり、粘着テープロールを回転可能に装着するために内側に設けられる。粘着テープディスペンサー１を、特にユーザが容易に把持できるように、把持凹部８が両側壁６の外面中心にそれぞれ形成されている。
【００４２】
外方部４は粘着テープロールの外径側に配設され、挿入された粘着テープロールの自由端を固定するために設けられており、ユーザは粘着テープロールの自由端を容易に把持することが可能となっている。このため、外方部は外方に向かう粗面９を有するテープ保持領域を備え、そこには粘着テープロールの自由端を容易に取り外すことができるように粘着可能となっている。
【００４３】
図２及び３に示す他の実施形態の場合、外方部は、さらにユーザによって粘着テープロールから引っ張られた粘着テープストリップを容易に切り離すことができるようになっている。このため、切取縁１０には小さな溝又は歯が設けられ、取外装置として外方部に配設されている。これに対し、図１に示す実施形態では、縁部に鋸歯又は溝を備え、手で容易に切ることができる粘着テープを使用するために設けられている。ここでは、外方部４には鋭い刃構造は必要とされず、外側領域には怪我をしないように円弧縁１１が形成されている。
【００４４】
本発明に係る粘着テープディスペンサー１は、少なくとも１つの弾性手段を備え、それは外方部４を内側に付勢し、軸５との間隔を小さくする。粘着テープロールが挿入されると、外方部４が挿入された粘着テープロールの外周面に接触して常時弾性的に押圧する。
【００４５】
図示される実施形態の場合、弾性手段は２つの弾性スプリングアーム３によって構成されている。そして、外方部４は、関節連結を必要とすることなく、ホルダー２に、同時に、移動できるように連結されている。２つの放物線状のベントスプリングアーム３は、ホルダー２の各側壁６と同一平面内でそれぞれ延び、挿入されるべき粘着テープロールの側方に隣接して軸方向にオフセットされている。スプリングアーム１３の内方端１２は、円形の側壁２の外周に対して接線方向に広がっている。スプリングアーム３の外方端１３は、静止状態では、内方端１２に対してほぼ対角線上の領域に側壁外周の外径方向に小さな間隔でそれぞれ配置されている。弾性変形している際、スプリングアーム３は、曲げ半径が小さくなれば付勢され、外方端１３は、それらの間に配設された外方部４が、挿入された粘着テープロールの外周面に弾性的に押し戻されるようにして外側へと弾性変形する。
【００４６】
２つのスプリングアーム３は、外方部４によって外方端１３に一体化されている。さらに、２つのスプリングアーム３は、粘着テープディスペンサー１の強度を増大させるために、連結ウェブ１４によって内方中心領域にも連結されている。その場合、連結ウェブ１４は、挿入可能な粘着テープロールの外径に配設されるように、径方向に突出する２つのラジアルウェブ１５を介して２つのスプリングアーム３にそれぞれ一体成形される。
【００４７】
外方端１３及び２つのスプリングアーム３の内方中心領域が互いに連結固定されるのに対して、ホルダー２の両側壁６は、一体成形されてはいないが、外方部４と同様にスプリングアーム３及び連結ウェブ１４を介して互いに連結されている。ホルダー２の両側壁６は、粘着テープロールを保持するために、外方に向かって軸方向に弾性変形可能である。粘着テープロールの挿入後、側壁６は内方に形状復帰し、内側に配設された連結ウェブを介して互いに連結される。これらの連結ウェブは、一方がスリーブ１６からなり、他方が機械的に確実に連結するためにスリーブ１６に取り外し不能に固定されたピン１７からなる。粘着テープディスペンサー１が再利用できない使い捨ての装置であれば、ピン１７は物質的な結合によってスリーブ１６に取り外し不能に固定される。これに対し、粘着テープディスペンサー１が再使用され、詰め替えて何度でも使用可能な装置であれば、ピン１７は摩擦結合あるいは離脱可能な締結手段、特にネジによってスリーブに取り外し可能に連結することができる。
【００４８】
それぞれ内径方向に突出する突出部１８は、２つのスプリングアーム３の各外側端１３に一体的に形成され、軸方向のガイド手段として挿入可能な粘着テープロールの端面に接触する。
【００４９】
図２に示す実施形態の場合、径方向に伸縮し、かつ、外方に弾性変形する２つの回止めの突起１９は、復帰回転の固定手段として内側でホルダー２の側壁６にそれぞれ一体的に形成されており、挿入可能な粘着テープロールの巻き戻し方向Ａとは反対側に回転することを防止するために、機械的で積極的な回止めと摩擦による回止めとを行う。２つの回止突起１９の自由端は環状突出部の内方端の内縁で、外方に向かってある角度で突出することにより、挿入されるべき粘着テープロールのコアリールの内径側に向かう凹部に係合している。回止突起１９の自由端は、粘着テープロールの所望の巻き戻し方向Ａに向かうように傾斜して設けられている。粘着テープの一片を引き込む際、回止突起１９の自由端は、所望の巻き戻し方向Ａに於ける粘着テープロールの回転方向の動きが可能となるように、コアリールの凹部の縁によって内径側に弾性的に押圧される。これに対し、反回転方向Ｒの回転が、コアリールの凹部で外方に向かってある角度で係合する回止突起１９の端部によってブロックされる。この場合、挿入されるべき粘着テープロールの内径方向に向かうコアリールの凹部は、コアリールのスポークの内径側に配設された端部間に間隔を設けることにより形成可能である。
【００５０】
図４に示す実施形態の場合、幾つかのスプリングの舌片２０は、コアリールの端面に配設されるコアリールの凹部に弾性係合するために、弾性的に軸方向内側に突出する。粘着テープの一片が引き出されれば、スプリング舌片２０は、粘着テープロールの回転方向の動きが所望の巻き戻し方向Ａにのみ可能となるように、コアリールの凹部の縁領域によって外方に弾性的に押圧される。反対方向Ｒへの回転運動は、コアリールの凹部の内側に係合するスプリング舌片２０の端部領域２２によってブロックされる。
【００５１】
図５乃至７に、本発明に係る粘着テープディスペンサーについての他の実施形態を示す。図５には、コアリール２４に巻き付けられ、挿入された粘着テープロール２３が図示されている。ここでは、コアリール２４は、多数の放射状のリブ２５を介して相互に連結された、同心上の２つのスリーブからなる。但し、それらは単一のスリーブで構成してもよい。
【００５２】
コアリール２４の内方スリーブは、円筒形状で、ホルダー２を構成するベアリングコア２６に僅かな遊びを持って回転可能に装着されている。この場合、ベアリングコア２６の中心軸が粘着テープロール２３の回転軸５を構成する。したがって、ベアリングコア２６はホルダー２の両側壁５の間に装着されることにより、偏心した回転軸２７を中心として偏心して回転し、ホルダー２の側壁６に対する位置は、外方部４からのベアリングコア２６の間隙と同様に変更可能となっている。
【００５３】
外方部４は、２つの強固に連結されたアーム２８ａ及び２８ｂを介してそれぞれホルダー２の側壁に両端面で連結固定されている。連結アーム２８ａ及び２８ｂは異なる角度で延び、交点２９で外方部４の領域に連結されており、連結アーム２８ａ及び２８ｂは各延設部の交点２９で外方にそれぞれ延長されている。連続する連結領域３０は、粘着テープロール２３から引き出されたテープの一片を切り離すために、一体的に形成された歯状のストリップ３１を備え、２つの連結アーム２８ａ及び２８ｂの延設部の間に延びている。粗面９を備えたテープ保持領域３２は２つの連結アーム２８ｂの各延設部から内方に延びており、そこには粘着テープの自由端３２を介して初期供給のための間隙が２つのテープ保持領域３２の間に残されている。粘着ストリップ端３３の初期供給を容易にするため、内方に配設されたテープ保持領域の縁は入口チャンバー３２をそれぞれ備えている。２つの連結アーム２８ａ及び２８ｂの延設部は、粘着テープディスペンサー１の外方部４に、連続した連結領域３０と２つのテープ保持領域３２とが一体的に形成されている。
【００５４】
ベアリングコア２６の回転範囲は、隣接手段によって両方向を制限されている。ここでは、隣接手段は突出部３５としてホルダー２の側壁６から突出し、ベアリングコア２６の対応する端面でアーチ状の開口３６に係合するピンによって形成されている。図６に示すように、外方部４とベアリングコア２６の間隙が最大となっている第１端位置の場合、ピン３５は開口３６の第１端３７ａに位置する。図７に示すように、ベアリングコア２６の第２端位置の場合、外方部４とベアリングコア２６の間隔は最小となるように小さくなる。この場合、ピン３５は開口３６の第２端３７ｂに位置する。
【００５５】
ベアリングコア２６は中空シリンダとして構成されている。脚部スプリング３ａは内方キャビティ３８に配設され、図７に示すように、中空シリンダを第２端位置の方向に弾性手段として作動させ、外方部４とベアリングコア２６の間隔を最小とする。脚部スプリング３ａはベアリングコア２６の回転軸２７に回転可能に装着される。軸は２つのピンで形成され、各ピンはベアリングコア２６の側壁の各開口を介してそれぞれ延び、キャビティ３８内に互いに位置している。これにより、脚部スプリング３ａは、ベアリングコア２６の内壁３９に一方の脚部３ｂを介して支持され、隣接手段にあるピン３５を他の脚部３ｃを介して支持されている。
【００５６】
このように、非常にコンパクトで、剛性の高い構成によって区別される、本発明に係る粘着テープディスペンサー１が得られる。
【図面の簡単な説明】
【００５７】
【図１】本発明に係る粘着テープディスペンサーの実施形態の第１の形式を示す斜視図である。
【図２】本発明に係る粘着テープディスペンサーの実施形態の第２の形式を示す斜視図である。
【図３】図２の実施形態の異なる２つの方向から見た図である。
【図４】本発明に係る粘着テープディスペンサーの実施形態の第３の形式を示す２つの方向から見た図である。
【図５】本発明に係る粘着テープディスペンサーが、粘着テープロールを挿入された状態での実施形態の第４の形式を示す斜視図である。
【図６】図５の実施形態の形式の断面図を示し、ベアリングコアの第１位置で、粘着テープロールが取り外された状態を示す図である。
【図７】図５の実施形態の形式の断面図を示し、ベアリングコアの第２位置で、粘着テープロールが同時に取り外された状態を示す図である。
【符号の説明】
【００５８】
１…粘着テープディスペンサー
２…ホルダー
３…スプリングアーム
４…外方部
５…軸
６…側壁
７…環状突出部
８…把持凹部
９…粗面
１０…縁
１１…円弧縁
【図１】
2007505018.tif 000003
【図２】
2007505018.tif 000004
【図３】
2007505018.tif 000005
【図４】
2007505018.tif 000006
【図５】
2007505018.tif 000007
【図６】
2007505018.tif 000008
【図７】
2007505018.tif 000009
【国際調査報告】
2007505018.tif 000010
2007505018.tif 000011
2007505018.tif 000012
2007505018.tif 000013
2007505018.tif 000014
2007505018.tif 000015